(57)【特許請求の範囲】
【請求項１】
第１の棒材の表面部に第２の棒材を交差状態に重ね合わせて形成される棒材交差部を保持する棒材交差部保持用のフックバンドであって、弾力性を有する１本の金属線材を屈曲して形成されており、
前記第１の棒材を嵌め入れて該第１の棒材の裏面部を支持するＵ字状屈曲部の左右両端に、前記第２の棒材を前記第１の棒材に向けて押圧する左右一対の押圧線状部が、所要間隔を隔てて且つ該第１の棒材の略長さ方向に延長する如く連設されると共に、該両押圧線状部の先端部に、該第１の棒材の裏面部に弾性圧接状態に当接し得る円弧状係合片が該第１の棒材の長さ方向で位置をずらして逆方向に突設されており、
前記両押圧線状部には、前記第１の棒材に裏面部で重なる前記第２の棒材の円弧状表面部分に沿うように円弧状に屈曲した２個の押圧屈曲部が前記押圧線状部の長さ方向に隣り合わせて波形に設けられており、該両押圧屈曲部を、前記Ｕ字状屈曲部に近い側から第１の押圧屈曲部と第２の押圧屈曲部とした場合、
前記両押圧線状部に設けられている前記第１の押圧屈曲部と前記第２の押圧屈曲部は、夫々、対向配置されたものとし、左右対向する両第１の押圧屈曲部に、又は、左右対向する両第２の押圧屈曲部に前記第２の棒材の前記円弧状表面部分を嵌め入れると共に前記両円弧状係合片を前記第１の棒材の裏面部に弾性圧接状態に当接させることにより、前記第１の棒材と前記第２の棒材が直角に交差して形成された直交の前記棒材交差部を保持できる一方、
前記両押圧線状部に設けられている前記第１の押圧屈曲部と前記第２の押圧屈曲部は、夫々、対向配置されたものとなすと共に、前記第１の押圧屈曲部と前記第２の押圧屈曲部とが所定の間隔を隔てるように構成したことによって、何れか一方の押圧線状部の前記第１の押圧屈曲部と他方の押圧線状部の前記第２の押圧屈曲部に前記第２の棒材の前記円弧状表面部分を嵌め入れることにより、前記第１の棒材に対して該第２の棒材を斜めに交差でき、前記両円弧状係合片を前記第１の棒材の裏面部に弾性圧接状態に当接させることにより、前記第２の棒材が前記第１の棒材に対して斜めに交差して形成された斜め交差の前記棒材交差部を保持できるようにして、
上下２段の直交する棒材交差部保持形態と逆方向の斜め交差の棒材交差部保持形態の３種類の形態の棒材交差部の保持を実現できるようにしたことを特徴とする棒材交差部保持用のフックバンド。
【請求項２】
請求項１記載の棒材交差部保持用のフックバンドを用いて構成された棒材交差部保持構造であって、前記第１の棒材と前記第２の棒材が直角に交差して形成された直交の前記棒材交差部が前記棒材交差部保持用のフックバンドで保持されてなることを特徴とする棒材交差部保持構造。
【請求項３】
請求項１記載の棒材交差部保持用のフックバンドを用いて構成された棒材交差部保持構造であって、前記第１の棒材に対して前記第２の棒材が斜めに交差して形成された斜め交差の前記棒材交差部が前記棒材交差部保持用のフックバンドで保持されてなることを特徴とする棒材交差部保持構造。                                                      
【請求項４】
請求項１記載の棒材交差部保持用のフックバンドを用いて構成された支柱枠構造物であって、前記第１の棒材は、下端側部分が土中に押し込まれて立設された支柱であり、又、前記第２の棒材は、前記支柱を立設して形成された支柱列を連結する連結棒材であり、該第１の棒材と該第２の棒材が直角に交差しており、このように直角に交差して形成された直交の前記棒材交差部が前記棒材交差部保持用のフックバンドで保持されていることを特徴とする支柱枠構造物。
【請求項５】
請求項１記載の棒材交差部保持用のフックバンドを用いて構成された支柱枠構造物であって、前記第１の棒材は、下端側部分が土中に押し込まれて立設された支柱であり、又、前記第２の棒材は、その下端側部分が土中に押し込まれて傾斜状態を呈し、その上端部分が前記支柱に斜め交差の状態で重ね合わせられる傾斜棒材であり、該第１の棒材に対して該第２の棒材が斜めに交差して形成された斜め交差の前記棒材交差部が前記棒材交差部保持用のフックバンドで保持されていることを特徴とする支柱枠構造物。
【発明の詳細な説明】
【技術分野】
【０００１】
本発明は、棒材相互を交差状態に重ね合わせて形成される棒材交差部を保持する、棒材交差部保持用のフックバンドに関するものであり、又、これを用いて構成された棒材交差部保持構造に関するものであり、更に、該棒材交差部保持用フックバンドを用いて構成された支柱枠構造物に関するものである。
【背景技術】
【０００２】
トマトや胡瓜等の栽培に際してその栽培棚を形成する際、例えば図１３〜１４に示すように、所要間隔を置いて地面に立設した支柱ａの全体を、該支柱ａの軸線と直交する方向に延長する連結棒材ｂで連結し、更に必要に応じて、所要の支柱ａを、下端側部分ｃが地面ｄに押し込まれた傾斜棒材ｅで補強していた。該傾斜棒材ｅによる支柱ａの補強は、該傾斜棒材ｅが、図１３に示すように該支柱ａの右側に配置されたり、或いは図１４に示すように該支柱ａの左側に配置されたりする場合がある。
【０００３】
図１５は、前記支柱ａと前記連結棒材ｂとを直角の交差状態に重ね合わせて形成された直交する棒材交差部ｆを従来の一般的なフックバンドｇ１で保持した状態を示している。又、図１６、図１７は、前記支柱ａと前記傾斜棒材ｅとを例えば約４５度の交差状態に重ねて形成された斜め交差の棒材交差部ｈ１，ｈ２を、例えば特許文献１記載のフックバンドｇ２，ｇ３で保持した状態を示している。
【０００４】
ここで、特許文献１記載のフックバンドｇ２，ｇ３は、棒材相互を斜めの交差状態に重ね合わせて形成された前記斜め交差の棒材交差部ｈ１，ｈ２を保持できる構成のものである。特許文献１に記載されている従来技術は、図１５に示すような、直交する棒材交差部ｆを保持する一般的な構成を有するフックバンドｇ１であった。該フックバンドｇ１は、図１５に示すように、第１の棒材ｊを嵌め入れて該第１の棒材ｊの裏面部ｋを支持するＵ字状屈曲部ｍの左右両端ｎ１，ｎ２に、第２の棒材ｐを該第１の棒材ｊに向けて押圧する左右一対の押圧線状部ｑ１，ｑ２が、所要間隔を隔てて該第１の棒材ｊの略長さ方向に延長して連設されると共に、該両押圧線状部ｑ１，ｑ２の先端部ｒ１，ｒ２に、該第１の棒材ｊの裏面部ｋに押圧状態に当接し得る円弧状係合片ｓ１，ｓ２が該第１の棒材ｊの長さ方向で位置をずらして逆方向に突設されていた。
【０００５】
そして該両押圧線状部ｑ１，ｑ２には、前記第１の棒材ｊの表面部ｔに重なる前記第２の棒材ｐの円弧状表面部分ｕに沿うように円弧状に屈曲した押圧屈曲部ｖ１，ｖ２が、該押圧線状部ｑ１，ｑ２に左右隣り合わせて設けられており、左右対向する該押圧屈曲部ｖ１，ｖ２に前記第２の棒材ｐの円弧状表面部分ｕを嵌め入れると共に、前記両円弧状係合片ｓ１，ｓ２を前記第１の棒材ｊの裏面部ｋに押圧状態に当接させることにより、前記第１の棒材ｊと前記第２の棒材ｐとが直交の棒材交差部ｆを保持できるように構成されていた。
【０００６】
又、前記斜め交差の棒材交差部ｈ１を保持する前記フックバンドｇ２，ｇ３は、図１６〜１７に示すように、前記左右の押圧線状部ｑ１，ｑ２に設けられて前記第２の棒材ｐの円弧状表面部分ｕを嵌め入れる押圧屈曲部ｖ１，ｖ２が、該傾斜棒材（第２の棒材ｐ）ｅに密着するように前記押圧線状部ｑ１，ｑ２の長さ方向で位置をずらして設けられていた。このように位置をずらす際、前記傾斜棒材ｅの取り付け向きによって該左右の押圧屈曲部ｖ１，ｖ２の位置関係が逆になる。例えば図１６に示すフックバンドｇ２にあっては、一方の押圧線状部ｑ１に設けられている押圧屈曲部ｖ１が、他方の押圧線状部ｑ２に設けられている押圧屈曲部ｖ２よりも前記Ｕ字状屈曲部ｍに近い。一方、図１７に示すフックバンドｇ３にあっては、他方の押圧線状部ｑ２に設けられている押圧屈曲部ｖ２が、前記一方の押圧線状部ｑ１に設けられている押圧屈曲部ｖ１よりも前記Ｕ字状屈曲部ｍに近い。
【０００７】
このように従来のフックバンドによるときは、直交の棒材交差部ｆを保持するためのフックバンドｇ１（図１５）と、斜め交差の棒材交差部ｈ１，ｈ２を保持するための２種類のフックバンド（図１６、図１７）ｇ２，ｇ３を要した。従来は、このように合計３種類のフックバンドを必要としたため、フックバンドの管理が煩わしく、特に、斜め交差の棒材交差部ｈ１，ｈ２を保持するための２種類のフックバンドｇ２，ｇ３については、左右の押圧屈曲部ｖ１，ｖ２が位置ずれしているだけであるため、その使用時の向きを見極めるのが難しい問題もあった。又、３種類のフックバンドを用意しなければならないことは、経済的負担が大きくなる問題もあった。
【先行技術文献】
【特許文献】
【０００８】
【特許文献１】特開２０００−６５０１９号公報
【発明の概要】
【発明が解決しようとする課題】
【０００９】
本発明は、第１の棒材と第２の棒材が直角に交差する場合の直交の棒材交差部の保持と、両棒材が斜めに交差する場合の２種類の斜め交差の棒材交差部の保持を１種類で行うことができて、使用時の取り扱い性に便利であると共に、該３種類の棒材交差部の保持に１種類で対応できるため経済性にも優れる、棒材交差部保持用のフックバンドの提供を課題とするものである。又、該棒材交差部保持用のフックバンドを用いて施工性よく簡易に構成される棒材交差部保持構造の提供を課題とするものであり、更に、該棒材交差部保持用のフックバンドを用いて施工性よく簡易に構成される支柱枠構造物の提供を課題とするものである。
【課題を解決するための手段】
【００１０】
前記課題を解決するため本発明は以下の手段を採用する。
即ち、本発明に係る棒材交差部保持用のフックバンド（以下フックバントという）は、第１の棒材の表面部に第２の棒材を交差状態に重ね合わせて形成される棒材交差部を保持する棒材交差部保持用のフックバンドであって、弾力性を有する１本の金属線材を屈曲して形成されている。そして前記第１の棒材を嵌め入れて該第１の棒材の裏面部を支持するＵ字状屈曲部の左右両端に、前記第２の棒材を前記第１の棒材に向けて押圧する左右一対の押圧線状部が、所要間隔を隔てて且つ該第１の棒材の略長さ方向に延長する如く連設されると共に、該両押圧線状部の先端部に、該第１の棒材の裏面部に弾性圧接状態に当接し得る円弧状係合片が該第１の棒材の長さ方向で位置をずらして逆方向に突設されている。又、前記両押圧線状部には、前記第１の棒材に裏面部で重なる前記第２の棒材の円弧状表面部分に沿うように円弧状に屈曲した２個の押圧屈曲部が前記押圧線状部の長さ方向に隣り合わせて波形に設けられており、該両押圧屈曲部を、前記Ｕ字状屈曲部に近い側から第１の押圧屈曲部と第２の押圧屈曲部とした場合、前記両押圧線状部に設けられている前記第１の押圧屈曲部と前記第２の押圧屈曲部は、夫々、対向配置されたものとし、左右対向する両第１の押圧屈曲部に、又は、左右対向する両第２の押圧屈曲部に前記第２の棒材の前記円弧状表面部分を嵌め入れると共に前記両円弧状係合片を前記第１の棒材の裏面部に弾性圧接状態に当接させることにより、前記第１の棒材と前記第２の棒材が直角に交差して形成された直交の前記棒材交差部を保持できるようになされている。
一方、前記両押圧線状部に設けられている前記第１の押圧屈曲部と前記第２の押圧屈曲部は、夫々、対向配置されたものとなすと共に、前記第１の押圧屈曲部と前記第２の押圧屈曲部とが所定の間隔を隔てるように構成したことによって、何れか一方の押圧線状部の前記第１の押圧屈曲部と他方の押圧線状部の前記第２の押圧屈曲部に前記第２の棒材の前記円弧状表面部分を嵌め入れることにより、前記第１の棒材に対して該第２の棒材を斜めに交差でき、前記両円弧状係合片を前記第１の棒材の裏面部に弾性圧接状態に当接させることにより、前記第２の棒材が前記第１の棒材に対して斜めに交差して形成された斜め交差の前記棒材交差部を保持できるようになされている。これによって、上下２段の直交する棒材交差部保持形態と逆方向の斜め交差の棒材交差部保持形態の３種類の形態の棒材交差部の保持を実現できるようにしたことを特徴とするものである。
【００１１】
本発明に係る棒材交差部保持構造の一態様は、前記フックバンドを用いて構成された棒材交差部保持構造であって、前記第１の棒材と前記第２の棒材が直角に交差して形成された直交の前記棒材交差部が前記フックバンドを用いて前記のように保持されてなることを特徴とするものである。又、本発明に係る棒材交差部保持構造の他の態様は、前記フックバンドを用いて構成された棒材交差部保持構造であって、前記第１の棒材に対して前記第２の棒材が斜めに交差して形成された斜め交差の前記棒材交差部が前記フックバンドを用いて前記のように保持されてなることを特徴とするものである。
【００１２】
本発明に係る支柱枠構造物の一態様は、前記フックバンドを用いて構成された支柱枠構造物であって、前記第１の棒材は、下端側部分が土中に押し込まれて立設された支柱であり、又、前記第２の棒材は、前記支柱を立設して形成された支柱列を連結する連結棒材であり、該第１の棒材と該第２の棒材が直角に交差しており、このように直角に交差して形成された直交の前記棒材交差部が前記フックバンドを用いて前記のように保持されていることを特徴とするものである。又、本発明に係る支柱枠構造物の他の態様は、前記フックバンドを用いて構成された支柱枠構造物であって、前記第１の棒材は、下端側部分が土中に押し込まれて立設された支柱であり、又、前記第２の棒材は、その下端側部分が土中に押し込まれて傾斜状態を呈し、その上端部分が前記支柱に斜め交差の状態で重ね合わせられる傾斜棒材であり、該第１の棒材に対して該第２の棒材が斜めに交差して形成された斜め交差の前記棒材交差部が前記フックバンドを用いて前記のように保持されていることを特徴とするものである。
【発明の効果】
【００１３】
本発明に係るフックバンドは、前記構成を有するため、第１の棒材と第２の棒材が直角に交差する場合の直交の棒材交差部の保持と、該第１の棒材と該第２の棒材が斜めに交差する場合の２種類の斜め交差の棒材交差部の保持を１種類のフックバンドで行うことができ、使用時の取り扱い性に便利である。又、３種類の形態の棒材交差部の保持に１種類のフックバンドで対応できるため、経済性にも優れる。又本発明に係る棒材交差部保持構造及び支柱枠構造物は、該フックバンドを用いて施工性よく簡易に構成できる。
【図面の簡単な説明】
【００１４】
【図１】本発明に係るフックバンドを用いて構成された植物栽培棚を示す斜視図である。
【図２】その植物栽培棚の他の態様を示す部分斜視図である。
【図３】本発明に係るフックバンドを示す斜視図である。
【図４】その正面図である。
【図５】その背面図である。
【図６】その平面図である。
【図７】その底面図である。
【図８】その左側面図である。
【図９】その右側面図である。
【図１０】フックバンドの使用状態の一態様を拡大して示す斜視図である。
【図１１】フックバンドの使用状態の他の態様を拡大して示す斜視図である。
【図１２】フックバンドの使用状態のその他の態様を拡大して示す斜視図である。
【図１３】従来のフックバンドを用いて構成された植物栽培棚を示す斜視図である。
【図１４】その植物栽培棚の他の態様を示す部分斜視図である。
【図１５】支柱と連結棒材とが直角に交差した棒材交差部を従来の一般的なフックバンドで保持した状態を示す斜視図である。
【図１６】支柱と傾斜棒材とが斜めに交差してなる棒材交差部を、従来のフックバンドで保持した状態を示す斜視図である。
【図１７】支柱と傾斜棒材とが斜めに交差してなる棒材交差部を従来のフックバンドで保持した他の態様を示す斜視図である。
【発明を実施するための形態】
【実施例１】
【００１５】
図１、図２は、例えば家庭菜園でトマトを栽培するための植物栽培棚１ａ（支柱枠構造物１の一例）を示しており、該植物栽培棚１ａは、第１の棒材２の表面部３に第２の棒材５を交差状態に重ね合わせて形成される棒材交差部６を、本発明に係るフックバンド７で保持して構成されている。該植物栽培棚１ａが設置される畝９の上面部１０には、その長さ方向に５０〜７０ｃｍ程度の間隔で例えばトマトの苗１１が移植されると共に、該トマトの苗１１を支持する支柱１２が、その下端側部分１３が該畝９に押し込まれて（土中に押し込まれて）立設されている。
【００１６】
このようにして支柱１２（前記第１の棒材２）を立設して形成された支柱列１５を、横方向に延長される連結棒材１６（前記第２の棒材５ａ）で連結すると共に、各支柱１２は、傾斜棒材１７（前記第２の棒材５ｂ）で補強されている。横方向に延長される該連結棒材１６は、図１〜２、図１０に示すように、該支柱１２の上端部分１９の前記表面部３に、直角の交差状態で重ね合わせられ、これによって形成された直交の棒材交差部６ａが、前記フックバンド７で保持される。これにより、直交の棒材交差部保持構造１８ａが構成される。又、前記傾斜棒材１７は、図１〜２、図１１〜１２に示すように、その下端側部分２０が土中に押し込まれた傾斜状態で、その上端部分２２が前記支柱１２の表面部３に斜めの交差状態で重ね合わせられ、図１１、図１２に示すように、斜め交差の棒材交差部６ｂが、前記フックバンド７で保持される。これにより、斜め交差の棒材交差部保持構造１８ｂが構成される。
【００１７】
以下、該フックバンド７の構成を具体的に説明する。該フックバンド７は、例えば図１０に示すように、垂直に立設された前記支柱（例えば外径が１６ｍｍや２０ｍｍ）１２としての前記第１の棒材２の表面部３に、水平方向に延長する前記連結棒材１６としての第２の棒材５ａを直角の交差状態に重ねて形成した直交の棒材交差部６ａを保持できる。又図１１〜１２に示すように、前記支柱１２としての第１の棒材２の表面部３に前記補強用の傾斜棒材（例えば外径が１６ｍｍや２０ｍｍ）１７としての第２の棒材５ｂを斜めの交差状態に重ねて形成した、斜め交差の棒材交差部６ｂを保持できる。このように該フックバンド７によるときは、３種類の棒材交差部の保持に１種類のフックバンド７で応じられる。
【００１８】
該フックバンド７は、例えばステンレス線材等の弾力性を有する金属線材（例えば線材径が２．５ｍｍ程度）を屈曲して形成されており、図３〜１２に示すように、前記第１の棒材２を嵌め入れて該第１の棒材２の裏面部２３を支持するＵ字状屈曲部２５の左右両端２６，２７に、前記第２の棒材５ａ，５ｂを前記第１の棒材２に向けて押圧する左右一対の押圧線状部２９，３０が、所要間隔を隔てて（例えば３０ｍｍ程度の間隔を隔てて）該第１の棒材２の略長さ方向に延長して連設されている。そして該両押圧線状部２９，３０の先端部３１，３２に、該第１の棒材２の裏面部２３に弾性圧接状態に当接し得る円弧状係合片３３，３５が該第１の棒材２の長さ方向で位置をずらして逆方向に突設されている。
【００１９】
前記両押圧線状部２９，３０には、前記第１の棒材２に裏面部３６で重なる第２の棒材５ａ，５ｂの円弧状表面部分３７に沿うように円弧状に屈曲した２個の押圧屈曲部３９，３９が、前記押圧線状部２９，３０の長さ方向で見て隣り合わせて設けられており、該両押圧屈曲部３９，４０を、前記Ｕ字状屈曲部２５に近い側から第１の押圧屈曲部３９ａ，３９ｂと第２の押圧屈曲部４０ａ，４０ｂとした場合、左右対向する押圧屈曲部３９ａ，４０ａに前記第２の棒材５ａの円弧状表面部分３７を嵌め入れると共に前記両円弧状係合片３３，３５を前記第１の棒材２の裏面部２３に弾性圧接状態に当接させることにより、例えば図３に示すように、前記第１の棒材２と前記第２の棒材５ａとが直角に交差して形成された直交の棒材交差部６ａを保持できる。
【００２０】
又、図１１に示すように、一方の押圧線状部２９の第１の押圧屈曲部３９ａと他方の押圧線状部３０の第２の押圧屈曲部４０ｂに前記第２の棒材５ｂの円弧状表面部分３７，３７を嵌め入れると共に前記両円弧状係合片３３，３５を前記第１の棒材２の裏面部２３に弾性圧接状態に当接させることにより、前記第２の棒材５ｂ（傾斜棒材１７）が前記第１の棒材２（支柱１２）に対して右下がりであるとき、前記第２の棒材５ｂが前記第１の棒材２に対して斜めに交差して形成された斜め交差の棒材交差部６ｂを保持できる。
【００２１】
又、図１２に示すように、一方の押圧線状部３０の第１の押圧屈曲部４０ａと他方の押圧線状部２９の第２の押圧屈曲部３９ｂに前記第２の棒材５ｂの円弧状表面部分３７，３７を嵌め入れると共に前記両円弧状係合片３３，３５を前記第１の棒材２の裏面部２３に弾性圧接状態に当接させることにより、前記第２の棒材５ｂ（傾斜棒材１７）が前記第１の棒材２（支柱１２）に対して左下がりであるとき、前記第２の棒材５ｂが前記第１の棒材２に対して斜めに交差して形成された斜め交差の棒材交差部６ｂを保持できる。
【００２２】
このように本発明に係るフックバンド７によるときは、３種類の交差状態を呈する棒材交差部６ａ，６ｂ，６ｂの保持に１種類のフックバンド７で応ずることができ、これによって棒材交差部の保持作業の容易化、能率化を達成できる。又、従来のように３種類のフックバンドを用意する必要がないことから経済性に優れる。
【００２３】
該フックバンド７は、前記第１の押圧屈曲部３９ａ，３９ｂ、前記第２の押圧屈曲部４０ａ，４０ｂの円弧の大きさによっては、多少の交差角度の変化に対して１種類で応じられる。又、本発明に係るフックバンド７は、斜め交差の棒材交差部６ｂを保持する際、前記第１の押圧屈曲部３９ａ，３９ｂと前記第２の押圧屈曲部４０ａ，４０ｂの配置関係を所要に設定することにより、例えば、約１０度、約１５度、約４５度等の各種の交差角度の斜め交差の棒材交差部６ｂの保持に応じ得る。
【００２４】
本発明に係るフックバンド７は、第１の棒材２の表面部に第２の棒材５を交差状態に重ね合わせて形成される棒材交差部６を保持するためであるならば、園芸分野だけでなく、垣状構造物やフエンス等の支柱枠構造物を構成するために、その他、建築分野や土木分野等において広く応用することができる。
【符号の説明】
【００２５】
１  支柱枠構造物
１ａ  植物栽培棚
２  第１の棒材
５  第２の棒材
６ａ  直交の棒材交差部
６ｂ  斜め交差の棒材交差部
７  フックバンド
９  畝
１１  トマトの苗
１２  支柱
１７  傾斜棒材
２５  Ｕ字状屈曲部
２９  押圧線状部
３０  押圧線状部
３３  円弧状係合片
３５  円弧状係合片
３７  円弧状表面部分
３９  押圧屈曲部
４０  押圧屈曲部
【図１】
0005422637.tif 000002
【図２】
0005422637.tif 000003
【図３】
0005422637.tif 000004
【図４】
0005422637.tif 000005
【図５】
0005422637.tif 000006
【図６】
0005422637.tif 000007
【図７】
0005422637.tif 000008
【図８】
0005422637.tif 000009
【図９】
0005422637.tif 000010
【図１０】
0005422637.tif 000011
【図１１】
0005422637.tif 000012
【図１２】
0005422637.tif 000013
【図１３】
0005422637.tif 000014
【図１４】
0005422637.tif 000015
【図１５】
0005422637.tif 000016
【図１６】
0005422637.tif 000017
【図１７】
0005422637.tif 000018